(57)【要約】      （修正有）【課題】パチスロ機に多数のメダルを１度に投入できる外付けメダル投入機を提供する。【解決手段】本体２４と、パチスロ機本体の台面に固定可能な固定台２６とを備え、本体には、メダル投入受け皿３２と、メダル上積み用の筒体３４と、メダル滑り案内板３８と、メダル滑り案内板上のメダルを１枚ずつ一方向に通過させるメダル通し口４０が設けられ、全体が透明材で構成される。固定台は枠状に形成され、枠部にメダル落下案内部材５８を取り付けるための取付枠６０が設けられる。枠部の底部には、固定台をパチスロ機本体に固定するための粘着剤から成る粘着層６４が設けられ、固定台と本体とは脱着及び揺動可能に連結する。メダル滑り案内板には駆動体ローラ４２が所定方向移動可動にモータに連係し、駆動体の移動によって、筒体から落下したメダル滑り案内板上のメダルがメダル通し口からメダル排出方向に押し出される。【選択図】図１
0003220930.tif 000002
【実用新案登録請求の範囲】
【請求項１】
透明材から成る箱状の本体２４，６６と、パチスロ機本体のメダル投入口の直上に位置してパチスロ機本体の台面３に固定可能な固定台２６とを備え、前記本体２４，６６に、多数のメダルを受け入れるメダル投入受け皿３２と、前記メダル投入受け皿３２の底部に開口し、開口部から落下するメダルを積み重なるように収納するメダル積み重ね収納部が形成された透明材から成る筒体３４，６８と、筒体３４，６８の開口部に対向して形成されたメダルを一方向に案内する透明材から成るメダル滑り案内板３８，７０と、前記メダル滑り案内板３８，７０と前記筒体３４，６８との間にメダルを１枚ずつ一方向に通過させるためのメダル通し口４０，７２とを設け、前記固定台２６を枠状に形成し、該固定台２６の枠部に前記メダルの通し口４０，７２から排出されたメダルを受け入れ下方に案内するメダル落下案内部材５８を取り付けるための取付枠６０を設け、前記固定台２６の枠部の底部に該固定台２６をパチスロ機本体のメダル投入口が形成された台面３に固定するための粘着剤から成る粘着層６４を設け、前記固定台２６と前記本体２４，６６との間に前記固定台２６に対して前記本体２４，６６を脱着及び揺動可能とする回転連結部２８，３０を設け、前記粘着層６４の底面に保護シール６５を脱着自在に接着したことを特徴とするパチスロ機用外付けメダル投入機。
【請求項２】
前記メダル滑り案内板に駆動体を所定方向に移動可能に配置し、該駆動体をモータに連係し、該駆動体の移動によって、前記筒体から落下したメダル滑り案内板上のメダルを前記メダル通し口からメダル排出方向に押し出すようにしたことを特徴とする請求項１に記載のパチスロ機用外付けメダル投入機。
【考案の詳細な説明】
【技術分野】
【０００１】
本考案は、パチスロ機のメダル投入口へ多数枚の遊戯用メダルを供給するための外付けメダル投入機に関する。
【背景技術】
【０００２】
パチスロ機側に、数１０枚以上の遊戯メダルを同時投入できるメダル貯留部と、メダル貯留部内の遊戯メダルを1枚ずつ払い出すメダル取出機構部と、メダル取出機構部から払い出された遊戯メダルを所定のメダル投入部に導くメダル供給シュータと、メダル投入部に投入される遊戯メダルを検出して個数を計測するメダル検出部を設け、メダルカップに残存している遊戯メダルを両手ですくうように取り出して、５０枚〜１００枚程度の多数の遊戯メダルを一括して投入することによって連続的に遊戯することのできるパチスロ機が従来知られている（特許文献1参照）。
【先行技術文献】
【特許文献】
【０００３】
【特許文献１】特開２００３−２４５１１号公報
【考案の概要】
【考案が解決しようとする課題】
【０００４】
上記の、多数の遊戯メダルを一括して投入することによって連続的に遊戯することができる機構を設けたパチスロ機は、現在、ゲームセンターに設置されておらず、メダル投入口に直接手でメダルを投入する方式のパチスロ機がゲームセンターに設置されている。
そのため、遊戯者は、メダル投入口にメダルを投入するのに両手を使い、何回もメダル投入作業を行っている。
このように、現在のパチスロ機は、多数の遊戯メダルを一括して投入することによって連続的に遊戯することができないので何度もメダル投入作業を行う必要があり、メダル投入動作が煩わしく、しかも遊戯者の両手がメダルによって汚れてしまうという問題点があった。
本考案は、上記問題点を解消することを目的とするものである。
【課題を解決するための手段】
【０００５】
上記目的を達成するため、本考案は、透明材から成る箱状の本体２４，６６と、パチスロ機本体のメダル投入口の直上に位置してパチスロ機本体の台面３に固定可能な固定台２６とを備え、前記本体２４，６６に、多数のメダルを受け入れるメダル投入受け皿３２と、前記メダル投入受け皿３２の底部に開口し、開口部から落下するメダルを積み重なるように収納するメダル積み重ね収納部が形成された透明材から成る筒体３４，６８と、筒体３４，６８の開口部に対向して形成されたメダルを一方向に案内する透明材から成るメダル滑り案内板３８，７０と、前記メダル滑り案内板３８，７０と前記筒体３４，６８との間にメダルを１枚ずつ一方向に通過させるためのメダル通し口４０，７２とを設け、前記固定台２６を枠状に形成し、該固定台２６の枠部に前記メダルの通し口４０，７２から排出されたメダルを受け入れ下方に案内するメダル落下案内部材５８を取り付けるための取付枠６０を設け、前記固定台２６の枠部の底部に該固定台２６をパチスロ機本体のメダル投入口が形成された台面３に固定するための粘着剤から成る粘着層６４を設け、前記固定台２６と前記本体２４，６６との間に前記固定台２６に対して前記本体２４，６６を脱着及び揺動可能とする回転連結部２８，３０を設け、前記粘着層６４の底面に保護シール６５を脱着自在に接着したことを特徴とする。
また本考案は、前記メダル滑り案内板に駆動体を所定方向に移動可能に配置し、該駆動体をモータに連係し、該駆動体の移動によって、前記筒体から落下したメダル滑り案内板上のメダルを前記メダル通し口からメダル排出方向に押し出すようにしたことを特徴とするものである。
【考案の効果】
【０００６】
本考案は、多数のメダルを1度に投入できるメダル受け皿を有するメダル投入機をパチスロ機に簡単に外付けでき、遊戯者は何度も両手でメダル投入作業を行う必要がなく、且つ、両手をメダルで汚すことなく遊戯を行うことができる。
【図面の簡単な説明】
【０００７】
【図１】本考案の構成を示す分解説明図である。
【図２】筒体の一部と本体の内部構造を省略した本考案の説明図である。
【図３】粘着層の輪部を示す平面図である。
【図４】本考案の断面説明図である。
【図５】パチスロ機に本考案に係るメダル投入機を取り付けた状態の外観図である。
【図６】本考案のブロック説明図である。
【図７】本考案の他の実施の形態を示す断面説明図である。
【図８】本考案の他の実施の形態を示す説明図である。
【図９】本考案の他の実施の形態を示す説明図である。
【図１０】本考案の他の実施の形態を示す説明図である。
【図１１】本考案の他の実施の形態を示す説明図である。
【考案を実施するための形態】
【０００８】
以下に本考案の構成を添付した図面を参照して詳細に説明する。
図５は、パチスロ機本体２のメダル投入口が形成された台面３に本考案に係る外付けメダル投入機４を取り付けた状態の外観図を示している。  
遊戯者は始めに、パチスロ機のメダルサンドに現金を投入し、払い出しボタンを押すと、千円分のメダルがパチスロ機1の受け皿6に貸し出される。この受け皿３２に入ったメダルを、両手を使い、手に取り最大50枚のメダルをメダル投入機4の受け皿３２に入れると、この受け皿３２に入れたメダルは、パチスロ機本体2のメダル投入口に自動的に供給され、ゲームを始めることができる。
【０００９】
遊戯者は、メダルの投入によって操作可能となるスタートレバー10を押し下げ操作する。これにより3種のリール１２，１４，１６が同時に回転を開始し、続いて遊戯者が3個のストップ釦１８，２０，２２を順次押圧操作すると、各リール１２，１４，１６が個々に対応するストップ釦１８，２０，２２が押圧されたタイミングで順次回転を停止する。
回転停止した各リール１２，１４，１６の図柄が入賞組み合わせの状態に揃うとその入賞に応じて割り当てられた枚数のメダルが受け皿６内に払い出される。
【００１０】
図１の説明図は、外付けメダル投入機４の構成を示している。メダル投入機４は、透明なプラスチック材から成る本体２４と、固定台２６とから構成され、これらの間には、固定台２６に、本体２４を所定の範囲内で揺動可能に且つ脱着可能に連結する回転連結部２８，２８，３０，３０が設けられている。本体２４は、全体が箱状に形成され、上部にメダル投入受け皿３２が形成されている。
【００１１】
受け皿３２には、これに投入されたメダルが、受け皿３２の中央に開口配置された筒体３４に導かれるようにメダル案内わん曲面が形成され、更にこのわん曲面には、本体２４を固定台２６に対し、回転連結部２８，３０を中心として倒したときに（図２参照）、筒体３４内のメダルを外部に案内するための断面Ｕ字状のメダル案内溝部３６が形成されている。
【００１２】
筒体３４は、透明なプラスチック材により構成され、本体２４と一体的に形成され、本体２４の内部に垂直に配置されている。筒体３４は、その内部に複数のメダルが水平状態で互いに積み重なる上積み状態で挿入されるように内径がメダルの径と略同径に形成されている。
【００１３】
筒体３４の底部には、筒体３４の底部のメダルを図４中、左方向に滑らせるための、下向きに傾斜したメダル滑り案内板３８が形成されている。
筒体３４の下端と、メダル滑り案内板３８のメダル案内面との間には、メダル８の厚さより若干大きなスペースを存して、対向し、このスペースは、１枚のメダルをメダル排出方向に通すメダル通し口４０を構成している。
【００１４】
メダル通し口４０には、メダル送り出しローラ４２の外周部のゴム材が、メダル滑り案内板３８に形成された切り欠き溝を介して配置され、該ローラ４２のゴムの外周面は、メダル滑り案内板３８の案内面より若干突出し、該ローラ４２のゴム外周面と筒体３４の下端との縦方向の間隔は、メダルの厚さと略同一に設定されている。
【００１５】
ローラ４２の中心軸は、本体２４に取り付けられたモータ４６の回転軸に連結し、ローラ４２は、モータ４６の駆動によって、前記メダル通し口４０に位置するメダル８を、筒体３４の外の、メダル排出方向に押し出す方向に回転するように構成されている。
【００１６】
ローラ４２の外周面に嵌着されたゴム材４４は、メダル通し口４０に対向するメダルを筒体３４の外部に回転力で強制的に押し出すための回転摩擦部材を構成し、ローラ４２とゴム材４４は、メダルをメダル通し口４０からメダル排出方向に押し出す駆動体を構成している。
【００１７】
本実施形態では、ローラ４２は、１個を使用したが特に１個に限定されるものではなく、複数用いることが可能であり、複数のローラに無端状のゴムベルトを掛架して駆動体を構成しても良い。メダル投入機４には、本体２４とコードを介して接続するモータ制御ボックス４８が配備され、これにモータ駆動制御回路５０が組み込まれた電子基盤とモータ駆動用電池５２が内蔵され、電池５２は、ボックス４８のキャップを外すことにより交換可能となっている。
【００１８】
モータ駆動制御回路５０には、コードを介してモータ４６が接続している。また、モータ駆動制御回路５０には、メダル滑り案内板３８に取り付けられたメダル検出センサ５４がコードを介して接続している。
本体２４には、メダル案内通路が形成されたメダル案内部材５６が設けられ、メダル通し口４０から排出されたメダル８を本体２４の下部に導くように構成されている。
【００１９】
固定台２６は、本体２４の底面の輪部と略同一の輪部を有する枠体により構成され、固定台２６に回転連結部２８，３０を介して本体２４を連結した状態において、本体２４の底面と固定台２６の上縁部は、互いに密着するように構成されている。固定台２６の枠には、メダル落下案内部材５８を脱着自在に、固定台２６に取り付けるための取付枠６０が設けられている。
【００２０】
メダル落下案内部材５８は、上部から下部にメダルを案内するメダル落下案内通路が形成されている。このメダル落下案内通路の下端開口部は、パチスロ機本体側のメダル投入口６２にメダルを落下挿入させるのに適した形状に形成されている。枠状の固定台２８の底部側には、これとほぼ同様の枠状の外形を有する、粘着剤から成る粘着層６４（図３参照）が接着され、粘着層６４の開放面側には、プラスチックフィルムなどの薄膜状シート部材からなる粘着面保護シール６５が接着されている。
【００２１】
次に、メダル投入機４を、パチスロ機本体２に取り付ける作業について説明する。
まず、パチスロ機本体２のメダル投入口６２と固定台２６側の取り付け枠６０の位置とを合わせ、固定台２６のパチスロ機本体２に対する取り付けた位置を決めた後、粘着層６４から保護シール６５をその突片部６５ａを手で掴んで剥がし、固定台２６を、その取付枠６０をパチスロ機本体２の、メダル投入口６２に合わせて、メダル投入口６２が形成された台面３に接着固定する。パチスロ機本体２の台面３に形成されたメダル投入口６２は、機種によって種々の構成が存在し、具体的な構造は図示省略した。
【００２２】
次に、メダル落下案内部材５８を取付け枠６０に嵌合し、案内部材５８の下端開口部を、パチスロ機本体１のメダル投入口６２の直上に対向配置する。
次に、本体２４を、固定台２６に脱着可能な回転連結部２８，３０を介して連結し、本体２４の底面を固定台２６の上縁部に載置当接させる。
【００２３】
上記した構成において、数十枚のメダルを本体２４の受け皿３２に投入すると、メダル８は1枚ずつ水平な状態で筒３４に落下し、筒体３４内で上積みされる。筒体３４内にメダル８が投入されると、センサ５４がメダルを感知し、ボックス４８内のモータ駆動制御回路５０にメダル感知信号が送られる。これにより、モータ４６が駆動され、ローラ４２が図４中、左方向に回転し、１枚ずつ筒体３４内のメダル８が、ローラ４２（駆動体）の駆動によりメダル排出方向に押し出され、メダル通し口４０から排出される。排出されたメダル８は、メダル案内部材５６とメダル落下案内部材５８を経てパチスロ機本体２のメダル投入口６２内に落下する。
【００２４】
筒体３４内のメダルがなくなると、センサ５４がメダルなしを感知し、モータ４６の駆動が停止する。投入機４が正常に動作せず投入機４内でメダルに目詰まりが生じた場合には、、モータ４６の駆動を停止し本体２４を図２に示すように、垂直方向に持ち上げ、筒体３４内のメダルを受け皿３２の溝３６を通じて外部に回収する。その後、本体２４を元の状態に戻し、メダル投入動作を再開する。
【００２５】
本体２４内のメダルの状態は、本体２４、筒体３４、メダル案内部材５６、固定台２６、メダル案内部材５８の透明構造により外部から目視することができる。
上記実施形態では、筒体３４内のメダルに対して、メダル送り出しローラ４２の回転力を作用させたが、メダル送り出しローラ４２を設けなくとも良く、メダル通し口４０からメダルをメダル案内部材５６に自然落下させる構成としても良い。
【００２６】
また、図７に示すように、本体に、メダル滑り案内板７０と、受け皿６６を設け、受け皿６６に屈曲させた筒体６８を結合し、筒体６８内のメダルを１枚ずつメダル滑り案内板７０に導き、滑り案内板７０と筒体６８のメダル排出口との間に設けた、１枚のメダルを通すメダル通し口７２からメダルを固定台（図示省略）側のメダル落下案内部材５８に自然落下させるようにしても良い。
【００２７】
メダルが目詰まりしたときは、本体を傾け、筒体６８に形成したメダル取り出し口６８ａから、筒体６８内のメダルを外部に排出し回収する。本体の受け皿６６の構造と、本体と、固定台との連結構造と、内部構造が外部から目視できる透明構造は、第１の実施例と同一であり、その説明を省略する。
【００２８】
なお、上記した実施形態では、本体のメダル投入受け皿３２に、パチスロ機本体２の受け皿６から手で以ってメダルを供給する構成となっているが、パチスロ機本体２側に、受け皿６に供給するメダルを直接本体２４，６６のメダル投入受け皿３２に供給する機構を付加するようにしても良い。この場合、遊戯者は、手でメダルを汚すことなく遊ぶことができる。
【００２９】
次に、筒体下部の筒壁と、メダル滑り案内板との間のメダル通し口に位置するメダルを、メダル通し口からメダル滑り案内板に沿って、その下方即ちメダル排出方向に強制的に押し出す駆動体の他の実施形態を図８と図９を参照して詳細に説明する。
本体に滑り案内板７０を傾けて配置し、これにメダル上積み用筒体６８の下端を対向させる。滑り案内板７０のメダル排出方向には、メダル落下案内部材５８を配置する。滑り案内板７０に板状の駆動体６６を回転自在に取り付け、回転軸７４を本体に設けたモータ７６に連結する。
【００３０】
駆動体６６には、半円形の輪郭を有し、厚さがメダル８の厚さと同じ約２ｍｍのメダル挿入用凹部７８が複数形成されている。滑り案内板７０の周囲には、駆動体６６を囲んで、メダル移動規制用のガイド８０が設けられている。
筒体６８の下端とメダル滑り案内板７０の上面との間には水平状態で１枚のメダルを通すメダル通し口が形成されている。
【００３１】
上記した構成において、駆動体６６は、モータ７６によって図９中、反時計方向に回転する。メダル受け皿３２から落下したメダル８は、筒体６８内で１枚ずつ上積みされ、最下位のメダルが筒体６８の直下の駆動体６６の凹部７８に落下する。凹部７８に入ったメダル８は、駆動体６６の回転より、メダル通し口を排出方向に押し出され、凹部７８の開放部がメダル落下案内部材５８の開口部に位置したところで、メダル８がメダル滑り案内板７０からメダル落下案内部材５８に落下する。
【００３２】
このようにして、筒体６８内のメダルは１枚ずつ駆動体６６により強制的にメダル通し口からメダル排出方向に押し出される。
図１０は、駆動体の他の実施形態を示し、滑り案内板８２に板状の駆動体８３が所定の角度、例えば３０度の範囲内で揺動するように回転軸８８が本体に設けたモータに連結されている。
駆動体８３には、凹部８４が形成され、筒体から、筒体下端と滑り案内板８２との間のメダル通し口８６に落ちてきたメダルが凹部８４の中に入りこれに規制される。
【００３３】
センサ（図示省略）が凹部８４内のメダル８を感知すると、モーターが駆動し、駆動体８３が図１０中、時計方向に揺動してメダル８を排出方向に押し出し、メダル通し口８６を通じてメダル落下案内部材５８にメダル８を落下させる。駆動体８３が本体側に設けたストッパー８９に当接すると、センサが感知してモーターの駆動が停止し、駆動体８３はバネ力によって、ストッパー９１に係止されるまで図１０中、反時計方向に揺動し、元位置に復帰する。この動作が連続的に繰り返し行われる。
【００３４】
図１１は、駆動体の他の実施形態を示し、本体に傾斜して配置された滑り案内板９０に板状の駆動体９２が、長穴９４と案内軸９６からなるガイド機構に案内されて所定の範囲内で直線方向に往復動するように、本体に設けたモーターに回転運動を直線運動に変換する歯車機構（図示省略）を介して連結されている。
【００３５】
駆動体９２には、凹部９８が形成され、筒体からメダル通し口１００に落ちてきたメダル８が凹部９８の中に入り、これに規制される。センサ（図示省略）が凹部９８内のメダル８を感知するとモーターが駆動し、駆動体９２が、図１０中、Ａ方向に移動してメダル８を押し下げ、メダル案内落下案内部材５８にメダルを落下させる。
【００３６】
駆動体９２が下位ストッパー（図示省略）に当接すると、センサが感知してモーターの駆動が停止し、駆動体９２は、バネ力によって上位ストッパー（図示省略）に係止されるまで図１１中、Ｂ方向に移動し、元位置に復帰する。この動作が連続的に繰り返し行われる。
【符号の説明】
【００３７】
２      パチスロ機本体
３      台面
４      メダル投入機
６      受け皿
８      メダル
１０    スタートレバー
１２    リール
１４    リール
１６    リール
１８    ストップ釦
２０    ストップ釦
２２    ストップ釦
２４    本体
２６    固定台
２８    回転連結部
３０    回転連結部
３２    受け皿
３４    筒体
３６    溝部
３８    滑り案内板
４０    メダル通し口
４２    ローラ
４４    ゴム材
４６    モータ
４８    モータ制御ボックス
５０    モータ制御回路
５２    電池
５４    センサ
５６    メダル案内部材
５８    メダル落下案内部材
６０    取付枠
６２    メダル投入口
６４    粘着層
６５    保護シール
６６    受け皿
６８    筒体
７０    メダル滑り案内板
７２    メダル通し口
７４    回転軸
７６    モーター
７８    凹部
８０    ガイド
８２    滑り案内板
８３    駆動体
８４    凹部
８６    メダル通し口
８８    回転軸
８９    ストッパー
９０    滑り案内板
９１    ストッパー
９２    駆動体
９４    長穴
９６    案内軸
９８    凹部
１００  メダル通し口
【図１】
0003220930.tif 000003
【図２】
0003220930.tif 000004
【図３】
0003220930.tif 000005
【図４】
0003220930.tif 000006
【図５】
0003220930.tif 000007
【図６】
0003220930.tif 000008
【図７】
0003220930.tif 000009
【図８】
0003220930.tif 000010
【図９】
0003220930.tif 000011
【図１０】
0003220930.tif 000012
【図１１】
0003220930.tif 000013